(57)【要約】      （修正有）【課題】イーサネットネットワーク通信において、リアルタイム性を向上させるデュアルポートスイッチのリンク速度設定方法を提供する。【解決手段】カットスルーパケットスイッチング（ｃｕｔ−ｔｈｒｏｕｇｈ  ｐａｃｋｅｔ  ｓｗｉｔｃｈｉｎｇ）方式を利用するデュアルポートスイッチに含まれている各ポートのリンク速度を同一に制御するように、デュアルポートスイッチのリンク速度を設定する。【選択図】図５
2018101974.tif 000002
【特許請求の範囲】
【請求項１】
デュアルポートスイッチに含まれている第１ポート及び第２ポートのリンク速度を設定するための方法において、
前記第１ポート及び前記第２ポートそれぞれからリンク速度設定完了信号を受信する段階；
前記リンク速度設定完了信号が受信されると、前記第１ポートのリンク速度及び前記第２ポートのリンク速度を確認する段階；
前記確認済み第１ポートのリンク速度と前記第２ポートのリンク速度を比較する段階；及び
前記第１ポートのリンク速度が前記第２ポートのリンク速度より速いと、前記第１ポートの限界リンク速度を変更して、前記第１ポートのリンク速度を前記第２ポートのリンク速度と同一に制御する段階を含む、
デュアルポートスイッチのリンク速度設定方法。
【請求項２】
前記第１ポートのリンク速度が前記第２ポートのリンク速度より速いと、前記第１ポートのリンク速度を前記第２ポートのリンク速度と同一に制御する段階は、
前記第１ポートのリンクを遮断する段階；
前記第１ポートの限界リンク速度を前記第２ポートのリンク速度と同一に設定する段階；及び
前記第１ポートのリンク遮断を解除する段階を含む、請求項１に記載のデュアルポートスイッチのリンク速度設定方法。
【請求項３】
前記第１ポートのリンク速度は、
前記第１ポート及び前記第１ポートと連結された隣接ポートの間のデータ通信を通じて設定されて、
前記第２ポートのリンク速度は、
前記第２ポート及び前記第２ポートと連結された隣接ポートの間のデータ通信を通じて設定される、請求項１または請求項２に記載のデュアルポートスイッチのリンク速度設定方法。
【請求項４】
前記第１ポートのリンク速度は、
前記第１ポートの限界リンク速度及び前記第１ポートと連結された隣接ポートの限界リンク速度のうち、速度がさらに遅い限界リンク速度に設定されて、
前記第２ポートのリンク速度は、
前記第２ポートの限界リンク速度及び前記第２ポートと連結された隣接ポートの限界リンク速度のうち、速度がさらに遅い限界リンク速度に設定される、請求項１〜３のいずれか一項に記載のデュアルポートスイッチのリンク速度設定方法。
【請求項５】
前記第１ポート及び前記第２ポートそれぞれからリンク速度設定完了信号を受信する段階は、
前記第１ポートのリンク速度及び前記第２ポートのリンク速度が設定されると、前記第１ポート及び前記第２ポートそれぞれから前記リンク速度設定完了信号を受信する段階を含む、請求項１〜４のいずれか一項に記載のデュアルポートスイッチのリンク速度設定方法。
【請求項６】
前記リンク速度設定完了信号が受信されると、前記第１ポートのリンク速度及び前記第２ポートのリンク速度を確認する段階は、
前記第１ポート及び前記第２ポートから前記第１ポートの状態情報及び前記第２ポートの状態情報を受信する段階；及び
前記受信された第１ポートの状態情報及び第２ポートの状態情報を参照して、前記第１ポートのリンク速度及び前記第２ポートのリンク速度を確認する段階を含む、請求項１〜５のいずれか一項に記載のデュアルポートスイッチのリンク速度設定方法。
【請求項７】
前記デュアルポートスイッチは、
カットスルーパケットスイッチング（ｃｕｔ−ｔｈｒｏｕｇｈ  ｐａｃｋｅｔ  ｓｗｉｔｃｈｉｎｇ）方式で動作する、請求項１〜６のいずれか一項に記載のデュアルポートスイッチのリンク速度設定方法。
【発明の詳細な説明】
【技術分野】
【０００１】
本発明は、デュアルポートスイッチのリンク速度設定方法に関し、さらに詳しくは、カットスルーパケットスイッチング（ｃｕｔ−ｔｈｒｏｕｇｈ  ｐａｃｋｅｔ  ｓｗｉｔｃｈｉｎｇ）方式を利用するデュアルポートスイッチに含まれている各ポートのリンク速度を同一に制御するデュアルポートスイッチのリンク速度設定方法に関する。
【背景技術】
【０００２】
ＳＣＡＤＡ（Ｓｕｐｅｒｖｉｓｏｒｙ  Ｃｏｎｔｒｏｌ  Ａｎｄ  Ｄａｔａ  Ａｃｑｕｉｓｉｔｉｏｎ；ＳＣＡＤＡ）システムは、大容量のデータを処理及び監視して、これに係る多様な機能を提供する大規模システムである。特に、大規模工程を制御するにあたって、主にＳＣＡＤＡシステムが適用されて、かかるＳＣＡＤＡシステムには、個別工程をリアルタイムで制御するためのリアルタイムイーサネット（ｒｅａｌ−ｔｉｍｅ  Ｅｔｈｅｒｎｅｔ）を構築することができる。
【０００３】
個別工程をリアルタイムで制御するためには，システム上で予め定められた時間内にデータが転送されなければならない。最近は、このようなリアルタイム制御を具現するために、カットスルーパケットスイッチング（ｃｕｔ−ｔｈｒｏｕｇｈ  ｐａｃｋｅｔ  ｓｗｉｔｃｈｉｎｇ）方式に基づくデュアルポートスイッチを利用してリアルタイムイーサネットを構築する流れである。
【０００４】
図１は、従来のイーサネットで使用されるデュアルポートスイッチの連結状態を示した図面であり、図２Ａ及び図２Ｂは、従来のイーサネットで使用されるデュアルポートスイッチに含まれている各ポートのリンク速度を示した図面である。以下に、図１、図２Ａ及び図２Ｂを参照して、従来のデュアルポートスイッチを利用した通信方法を具体的に説明する。
【０００５】
図１を参照すれば、第１及び第２のデュアルポートスイッチ（Ｅｔｈｅｒｎｅｔ  ＭＡＣ  Ｓｗｉｔｃｈ１，２）は、パケットの目的地住所（ＭＡＣ ａｄｄｒｅｓｓ）に基づいてパケットを伝達する。例えば、第１のデュアルポートスイッチのポート１（ｐｏｒｔ１）に受信されたパケットは、第１のデュアルポートスイッチのポート２（ｐｏｒｔ２）、第２のデュアルポートスイッチのポート１（ｐｏｒｔ１）及び第２のデュアルポートスイッチのポート２（ｐｏｒｔ２）を経て順次に伝達される。
【０００６】
このようなパケットの伝達速度を向上させるために、カットスルーパケットスイッチング（ｃｕｔ−ｔｈｒｏｕｇｈ  ｐａｃｋｅｔ  ｓｗｉｔｃｈｉｎｇ）方式が利用される。より具体的には、カットスルーパケットスイッチング方式は、デュアルポートスイッチがパケットのヘッダーのみを確認した後、残りのパケットを直ちに目的地に伝達する方式である。
【０００７】
言い換えれば、カットスルーパケットスイッチング方式は、パケットを構成するフレーム全体が受信される前にヘッダーフレームのみを参照して目的地の住所（ＭＡＣ ａｄｄｒｅｓｓ）を獲得し、パケットを構成する残りのフレームを直ちに獲得した目的地の住所に伝達することで、スイッチングディレー（ｓｗｉｔｃｈｉｎｇ ｄｅｌａｙ）を最小化する方式である。
【０００８】
但し、カットスルーパケットスイッチング方式を利用するためには、デュアルポートスイッチの受信ポートと転送ポートのリンク速度（ｌｉｎｋ  ｓｐｅｅｄ）が同一でなければならない。図２Ａを参照すれば、デュアルポートスイッチ（Ｅｔｈｅｒｎｅｔ ＭＡＣ Ｓｗｉｔｃｈ）は、受信ポート（ｐｏｒｔ１）及び転送ポート（ｐｏｒｔ２）を含む。
【０００９】
このとき、受信ポートと転送ポートのリンク速度が１００Ｍｂｐｓに同一であれば、受信ポートを通じて受信されたパケットは、データの消失や歪みなく転送ポートを通じて転送される。
【００１０】
しかし、図２Ｂに示したように、受信ポート（ｐｏｒｔ１）のリンク速度は１Ｇｂｐｓである反面、転送ポート（ｐｏｒｔ２）のリンク速度は１００Ｍｂｐｓであることがある。この場合、高速に受信されるパケットが同じ速度で転送されないため、データが上書きされるか歪むという問題点がある。
【００１１】
逆に、受信ポート（ｐｏｒｔ２）のリンク速度は１００Ｍｂｐｓである反面、転送ポート（ｐｏｒｔ１）のリンク速度は１Ｇｂｐｓであることがある。この場合、遅く受信されるパケットが高速に転送されるため、データが繰り返されるか無意味なデータが挿入されるという問題点がある。
【００１２】
かかることから、従来の方法によれば、あらゆるデュアルポートスイッチに含まれている各ポートのリンク速度を同一に固定して、リアルタイムイーサネットを構成しなければならない。しかし、従来のリンク速度設定方法は、リアルタイムイーサネットを構成するあらゆるポートのリンク速度を使用者が別途設定しなければならない面倒があった。
【００１３】
また、従来のリンク速度設定方法は、向上した速度を支援するデバイスを既存のリアルタイムイーサネットに追加しようとするとき、リンク速度の差異による互換性の問題が生じて、これによって、カットスルーパケットスイッチング方式が正常に動作しないという問題点がある。
【発明の概要】
【発明が解決しようとする課題】
【００１４】
本発明は、カットスルーパケットスイッチング方式を利用するデュアルポートスイッチに含まれている各ポートのリンク速度を同一に自動制御することで、イーサネットネットワーク通信において、リアルタイム性を向上させるデュアルポートスイッチのリンク速度設定方法を提供することを目的とする。
【００１５】
また、本発明は、デュアルポートスイッチに含まれている各ポートのうち、さらに速いリンク速度を有するポートのリンク速度を残りの一つのポートのリンク速度と同一に制御することで、物理的特性の異なるデバイスがイーサネットネットワークに追加されても、互換性の問題を防止することができるデュアルポートスイッチのリンク速度設定方法を提供することを目的とする。
【００１６】
また、本発明は、 オートネゴシエーション（Ａｕｔｏ  Ｎｅｇｏｔｉａｔｉｏｎ）に利用される限界リンク速度を変更してポートのリンク速度を制御することで、既存のイーサネットネットワーク通信の環境変更なく、簡単な方法でポートのリンク速度を設定することができるデュアルポートスイッチのリンク速度設定方法を提供することを目的とする。
【００１７】
本発明の目的らは、以上で言及した目的に制限されないし、言及していない本発明の他の目的及び特長らは、下記の説明により理解されるし、本発明の実施形態によりさらに明らかに理解されるだろう。また、本発明の目的及び特長らは、特許請求の範囲に示した手段及びその組み合わせによって実現できることが分かりやすいだろう。
【課題を解決するための手段】
【００１８】
このような目的を達するために本発明の一実施形態によるデュアルポートスイッチのリンク速度設定方法は、デュアルポートスイッチに含まれている第１ポート及び第２ポートのリンク速度を設定するための方法において、前記第１ポート及び前記第２ポートそれぞれからリンク速度設定完了信号を受信する段階、前記リンク速度設定完了信号が受信されると、前記第１ポートのリンク速度及び前記第２ポートのリンク速度を確認する段階、前記確認済み第１ポートのリンク速度と前記第２ポートのリンク速度を比較する段階、及び前記第１ポートのリンク速度が前記第２ポートのリンク速度より速いと、前記第１ポートの限界リンク速度を変更して、前記第１ポートのリンク速度を前記第２ポートのリンク速度と同一に制御する段階を含むことを特徴とする。
【発明の効果】
【００１９】
前述のような本発明によれば、カットスルーパケットスイッチング方式を利用するデュアルポートスイッチに含まれている各ポートのリンク速度を同一に自動制御することで、イーサネットネットワーク通信におけるリアルタイム性を向上させる効果がある。
【００２０】
また、本発明によれば、デュアルポートスイッチに含まれている各ポートのうち、さらに速いリンク速度を有するポートのリンク速度を残りの一つのポートのリンク速度と同一に制御することで、物理的特性の異なるデバイスがイーサネットネットワークに追加されても互換性の問題を防止することができる効果がある。
【００２１】
また、本発明によれば、オートネゴシエーション（Ａｕｔｏ  Ｎｅｇｏｔｉａｔｉｏｎ）に利用される限界リンク速度を変更してポートのリンク速度を制御することで、既存のイーサネットネットワーク通信の環境変更なく、簡単な方法でポートのリンク速度を設定することができる効果がある。
【図面の簡単な説明】
【００２２】
【図１】従来のイーサネットで使用されるデュアルポートスイッチの連結状態を示した図面。
【図２Ａ】従来のイーサネットで使用されるデュアルポートスイッチに含まれている各ポートのリンク速度を示した図面。
【図２Ｂ】従来のイーサネットで使用されるデュアルポートスイッチに含まれている各ポートのリンク速度を示した図面。
【図３】本発明の一実施形態によるデュアルポートスイッチが各ポートのリンク速度を設定する方法を示した手順図。
【図４】本発明の一実施形態によるデュアルポートスイッチの連結状態を示した図面。
【図５】本発明の一実施形態によるデュアルポートスイッチのリンク速度設定方法を示した手順図。
【図６】本発明の一実施形態に従いポートのリンク速度を制御する方法を示した手順図。
【発明を実施するための形態】
【００２３】
前述の目的、特徴及び特長は、添付図面を参照して詳細に後述し、これによって、本発明が属する技術分野で通常の知識を有する者は、本発明の技術的思想を容易に行うことができるだろう。本発明を説明するにおいて、本発明に係る公知技術に対する具体的な説明が本発明の要旨を曖昧にすると判断された場合は、詳細な説明を省略する。以下、添付図面を参照して本発明による望ましい実施形態を詳説する。図面において同じ参照符号は、同一または類似の構成要素を指すものに使われる。
【００２４】
本発明の一実施形態によるデュアルポートスイッチのリンク速度設定方法は、デュアルポートスイッチに含まれている第１ポート及び第２ポートのリンク速度を設定するための方法に関する。本発明においてデュアルポートスイッチは、受信ポートまたは転送ポートとして第１ポート及び第２ポートを含み、個別工程をリアルタイムで制御するためのリアルタイムイーサネット（ｒｅａｌ−ｔｉｍｅ  Ｅｔｈｅｒｎｅｔ）ネットワークに含まれる。
【００２５】
より具体的には、デュアルポートスイッチは、パケットの目的地住所（ＭＡＣ ａｄｄｒｅｓｓ）に基づいてパケットを伝達するスイッチモジュールを含む。例えば、デュアルポートスイッチは、受信されたパケットをイーサネットネットワーク上に連結された特定ノードに転送するスイッチングハブ（ｓｗｉｔｃｈｉｎｇ ｈｕｂ）である。
【００２６】
一方、本発明においてデュアルポートスイッチの第１ポート及び第２ポートは、特定ポートを指すものではない。言い換えれば、デュアルポートスイッチに含まれるいずれかのポートが第１ポートとなり、他のいずれかのポートが第２ポートとなってもよい。
【００２７】
本発明の一実施形態によるデュアルポートスイッチは、カットスルーパケットスイッチング（ｃｕｔ−ｔｈｒｏｕｇｈ  ｐａｃｋｅｔ  ｓｗｉｔｃｈｉｎｇ）方式で動作する。カットスルーパケットスイッチング方式は、デュアルポートスイッチがパケットのヘッダーのみを確認した後、残りのパケットを直ちに目的地に伝達する方式である。
【００２８】
言い換えれば、カットスルーパケットスイッチング方式は、パケットを構成するフレーム全体が受信される前に、ヘッダーフレームのみを参照して目的地の住所（ＭＡＣ ａｄｄｒｅｓｓ）を獲得し、パケットを構成する残りのフレームを直ちに該目的地の住所に伝達することで、スイッチングディレー（ｓｗｉｔｃｈｉｎｇ ｄｅｌａｙ）を最小化する方式である。
【００２９】
デュアルポートスイッチがカットスルーパケットスイッチング方式で動作するためには、デュアルポートスイッチを構成する各ポートのリンク速度（ｌｉｎｋ  ｓｐｅｅｄ）が同一でなければならないことは、前述のとおりである。
【００３０】
図３は、本発明の一実施形態によるデュアルポートスイッチが各ポートのリンク速度を設定する方法を示した手順図である。図４は、本発明の一実施形態によるデュアルポートスイッチの連結状態を示した図面である。以下に、図３及び図４を参照して、本発明の一実施形態に従いデュアルポートスイッチが各ポートのリンク速度を設定する方法を具体的に説明する。
【００３１】
図３及び図４を参照すれば、デュアルポートスイッチに含まれる第１ポートのリンク速度は、第１ポート及び第１ポートと連結された隣接ポートの間のデータ通信を通じて設定される。また、デュアルポートスイッチに含まれる第２ポートのリンク速度は、第２ポート及び第２ポートと連結された隣接ポートの間のデータ通信を通じて設定される。
【００３２】
より具体的には、図４において本発明の一実施形態によるデュアルポートスイッチは、隣接スイッチ１とデータ通信を行う。このようなデータ通信を通じてデュアルポートスイッチは、隣接スイッチ１から隣接ポート２の限界リンク速度に関するデータを受信する（Ｓ３１０）。
【００３３】
ここで、限界リンク速度は、ポートが支援する最高リンク速度を意味する。例えば、デュアルポートスイッチに含まれている第１ポート及び第２ポートは、最高１００Ｍｂｐｓのリンク速度を支援することができ、隣接スイッチ１に含まれている隣接ポート１及び隣接ポート２は、最高１Ｇｂｐｓのリンク速度を支援することができる。この場合、第１ポート及び第２ポートの限界リンク速度は１００Ｍｂｐｓであり、隣接ポート１及び隣接ポート２の限界リンク速度は１Ｇｂｐｓである。
【００３４】
デュアルポートスイッチは、隣接スイッチ１から受信された隣接ポート２の限界リンク速度に関するデータに基づいて、隣接ポート２の限界リンク速度が１Ｇｂｐｓであることを把握する。
【００３５】
本発明の一実施形態によるデュアルポートスイッチは、隣接ポートの限界リンク速度と第１ポートの限界リンク速度を比較する（Ｓ３２０）。比較の結果、第１ポートの限界リンク速度が隣接ポートの限界リンク速度より速いと、第１ポートのリンク速度を隣接ポートの限界リンク速度に設定する（Ｓ３３０）。一方、第１ポートの限界リンク速度が隣接ポートの限界リンク速度より遅いと、第１ポートのリンク速度を第１ポートの限界リンク速度に設定する（Ｓ３４０）。
【００３６】
より具体的には、上述の例においてデュアルポートスイッチは、隣接ポート２の限界リンク速度（１Ｇｂｐｓ）と第１ポートの限界リンク速度（１００Ｍｂｐｓ）を比較する。隣接ポート２の限界リンク速度が第１ポートの限界リンク速度より速いため、デュアルポートスイッチは、第１ポートのリンク速度を第１ポートの限界リンク速度である１００Ｍｂｐｓに設定する。
【００３７】
言い換えれば、第１ポートのリンク速度は、第１ポートの限界リンク速度及び第１ポートと連結された隣接ポートの限界リンク速度のうち、速度がさらに遅い限界リンク速度に設定される。
【００３８】
一方、図４において本発明の一実施形態によるデュアルポートスイッチは、隣接スイッチ２から隣接ポート３の限界リンク速度に関するデータを受信する。デュアルポートスイッチが隣接スイッチ２から受信されたデータに基づいて、第２ポートのリンク速度を設定する方法は、上述の内容と同様であるため省略する。
【００３９】
結局、第２ポートのリンク速度は、はやり第２ポートの限界リンク速度及び第２ポートと連結された隣接ポートの限界リンク速度のうち、速度がさらに遅い限界リンク速度に設定される。
【００４０】
すなわち、各ポートの限界リンク速度は、該ポートまたは該ポートを含むスイッチの物理的特性の一つであって、各ポートは、限界リンク速度より遅いリンク速度を支援することができるが、限界リンク速度より速いリンク速度を支援することはできない。これによって、各ポートのリンク速度は、該ポート及び該ポートに隣接したポートが共に支援するリンク速度のうち、一番速いリンク速度に設定される。
【００４１】
このように、ネットワークで互いに連結された全デバイスが支援できる最高速度で接続するための動作をオートネゴシエーション（Ａｕｔｏ  Ｎｅｇｏｔｉａｔｉｏｎ）という。本発明のデュアルポートスイッチに含まれるあらゆるポートのリンク速度は、隣接スイッチに含まれているポートとの通信を通じるオートネゴシエーションによって設定される。
【００４２】
さらに図４を参照すれば、本発明の一実施形態によるデュアルポートスイッチのリンク速度設定方法は、リンク速度設定装置４００の内部で行われる。リンク速度設定装置４００は、デュアルポートスイッチのスイッチング動作を制御するスイッチングモジュールを含む。他に、デュアルポートスイッチのスイッチング動作を制御するスイッチングモジュールは、リンク速度設定装置４００と分離されたデュアルポートスイッチの内部に含まれる。
【００４３】
図５は、本発明の一実施形態によるデュアルポートスイッチのリンク速度設定方法を示した手順図である。図４及び図５を参照すれば、本発明の一実施形態によるリンク速度設定装置４００は、第１ポート及び第２ポートそれぞれからリンク速度設定完了信号を受信する（Ｓ５１０）。
【００４４】
より具体的には、リンク速度設定装置４００は、第１ポートのリンク速度及び第２ポートのリンク速度が設定されると、第１ポート及び第２ポートそれぞれからリンク速度設定完了信号を受信する。
【００４５】
図３において説明したように、デュアルポートスイッチに含まれている各ポートのリンク速度は、隣接スイッチとオートネゴシエーション（Ａｕｔｏ  Ｎｅｇｏｔｉａｔｉｏｎ）を通じて設定される。各ポートは、自分のリンク速度が設定されると、リンク速度設定完了信号をリンク速度設定装置４００に送信する。
【００４６】
言い換えれば、リンク速度設定完了信号は、各ポートが隣接ポートと連結されて（ｌｉｎｋ  ｕｐ）、オートネゴシエーションを通じて各ポートのリンク速度が設定されると、各ポートによって生成される。
【００４７】
リンク速度設定完了信号が受信されると、リンク速度設定装置４００は、第１ポートのリンク速度及び第２ポートのリンク速度を確認して（Ｓ５２０）、第１ポートのリンク速度と第２ポートのリンク速度が同一であるか否かを比較する（Ｓ５３０）。
【００４８】
より具体的には、リンク速度設定完了信号が受信されると、リンク速度設定装置４００は、第１ポート及び第２ポートで状態情報を要請する。これによって、第１ポート及び第２ポートは、それぞれ自分の状態情報をリンク速度設定装置４００に送信する。
【００４９】
状態情報には各ポートの名称、住所、機種、連結状態、リンク速度などの物理的特性が含まれるし、リンク速度設定装置４００は、受信された第１ポートの状態情報及び第２ポートの状態情報を参照して、第１ポートのリンク速度及び第２ポートのリンク速度を確認する。各ポートのリンク速度が確認されると、リンク速度設定装置４００は、第１ポート及び第２ポートのリンク速度を比較する。
【００５０】
比較の結果、第１ポートのリンク速度が第２ポートのリンク速度より速いと、リンク速度設定装置４００は、第１ポートの限界リンク速度を変更して、第１ポートのリンク速度を第２ポートのリンク速度と同一に制御する（Ｓ５４０）。一方、第１ポートのリンク速度と第２ポートのリンク速度が同一であれば、リンク速度設定装置４００は、第１ポートのリンク速度を制御しない。
【００５１】
さらに図４を参照すれば、本発明のデュアルポートスイッチに含まれている各ポートの限界リンク速度は１Ｇｂｐｓである。また、隣接スイッチ１に含まれている各ポートの限界リンク速度は１Ｇｂｐｓであり、隣接スイッチ２に含まれている各ポートの限界リンク速度は１００Ｍｂｐｓである。
【００５２】
このとき、図３において説明したように、第１ポートは、隣接スイッチ１の隣接ポート２とオートネゴシエーション（Ａｕｔｏ  Ｎｅｇｏｔｉａｔｉｏｎ）を行う。これによって、第１ポートのリンク速度は、第１ポート及び隣接ポート２が支援できる最高速度である１Ｇｂｐｓに設定される。また、第２ポートは、隣接スイッチ２の隣接ポート３とオートネゴシエーションを行う。これによって、第２ポートのリンク速度は、第２ポート及び隣接ポート３が支援できる最高速度である１００Ｍｂｐｓに設定される。
【００５３】
リンク速度設定装置４００は、第１ポート及び第２ポートの状態情報を受信して、各ポートに設定されたリンク速度を比較する。上述の例において、第１ポートのリンク速度（１Ｇｂｐｓ）が第２ポートのリンク速度（１００Ｍｂｐｓ）より速いため、リンク速度設定装置４００は、第１ポートのリンク速度を第２ポートのリンク速度と同一に制御する。
【００５４】
図６は、本発明の一実施形態に従いポートのリンク速度を制御する方法を示した手順図である。以下、図４及び図６を参照して、本発明のリンク速度設定装置４００が第１ポートの限界リンク速度を変更して、第１ポートのリンク速度を第２ポートのリンク速度と同一に制御する方法を具体的に説明する。
【００５５】
図４及び図６を参照すれば、第１ポートのリンク速度が第２ポートのリンク速度より速いと、本発明のリンク速度設定装置４００は、第１ポートのリンクを遮断する（Ｓ６１０）。より具体的には、リンク速度設定装置４００は、第１ポートのリンクを遮断して（ｌｉｎｋ  ｄｏｗｎ）、第１ポートが隣接ポート２とオートネゴシエーションを行えないようにする。
【００５６】
第１ポートのリンクが遮断されると、リンク速度設定装置４００は、第１ポートの限界リンク速度を第２ポートのリンク速度と同一に設定する（Ｓ６２０）。より具体的には、リンク速度設定装置４００は、第１ポートを初期化した（ｒｅｓｅｔ）後、第１ポートの限界リンク速度を第２ポートのリンク速度と同一に設定する。言い換えれば、上述の例においてリンク速度設定装置４００は、既存に１Ｇｂｐｓに設定されていた第１ポートの限界リンク速度を、第２ポートのリンク速度である１００Ｍｂｐｓに強制設定する。
【００５７】
第１ポートの限界リンク速度が強制設定されると、リンク速度設定装置４００は、第１ポートのリンク遮断を解除することができ（Ｓ６３０）、これによって、第１ポートは隣接ポート２とさらに連結される（ｌｉｎｋ  ｕｐ）。
【００５８】
図４において、第１ポートと隣接ポート２は、さらにオートネゴシエーションを行うことができ、第１ポートの限界リンク速度が１００Ｍｂｐｓと強制設定されているため、第１ポートのリンク速度は、第１ポート及び隣接ポート２が支援できる最高速度である１００Ｍｂｐｓに設定される。結果的に、第１ポートの限界リンク速度を変更することで、第１ポートのリンク速度は、第２ポートのリンク速度と同一に制御される。
【００５９】
すなわち、本発明は、隣接スイッチとのオートネゴシエーションを通じてデュアルスイッチを構成する各ポートの速度が決定されると、隣接スイッチとのリンクを遮断した後、比較的に速い速度を有するポートのリンク速度を、比較的に遅い速度を有するポートのリンク速度に強制変更する。
【００６０】
これによって、リンク遮断が解除された後、各ポートを通じてオートネゴシエーションが行われても各ポートのリンク速度を同一に維持することができる。
【００６１】
図４に示した第１ポート及び第２ポートは、上述したように、特定ポートを意味するものではなく、デュアルポートスイッチに含まれるいずれかのポートが第１ポートとなり、他のいずれかのポートが第２ポートとなってもよい。
【００６２】
また、図４において隣接スイッチ１及び隣接スイッチ２は、デュアルポートスイッチと異なる名称に記載されているが、隣接スイッチ１及び隣接スイッチ２は、本発明のデュアルポートスイッチと同じスイッチである。
【００６３】
上述したように、本発明は、オートネゴシエーション（Ａｕｔｏ  Ｎｅｇｏｔｉａｔｉｏｎ）に利用される限界リンク速度を変更してポートのリンク速度を制御することで、既存のイーサネットネットワーク通信の環境変更なく、簡単な方法でポートのリンク速度を設定することができる。
【００６４】
また、本発明は、デュアルポートスイッチに含まれている各ポートのうち、さらに速いリンク速度を有するポートのリンク速度を残りの一つのポートのリンク速度と同一に制御することで、物理的特性の異なるデバイスがイーサネットネットワークに追加されても互換性の問題を防止することができる。
【００６５】
結局、本発明は、カットスルーパケットスイッチング方式を利用するデュアルポートスイッチに含まれている各ポートのリンク速度を同一に自動制御することで、イーサネットネットワーク通信においてリアルタイム性を向上させることができる。
【００６６】
前述の本発明は、本発明が属する技術分野で通常の知識を有する者にとって、本発明の技術的思想を脱しない範囲内で様々な置換、変形及び変更が可能であるため、前述の実施形態及び添付図面によって限定されるものではない。
【図１】
2018101974.tif 000003
【図２Ａ】
2018101974.tif 000004
【図２Ｂ】
2018101974.tif 000005
【図３】
2018101974.tif 000006
【図４】
2018101974.tif 000007
【図５】
2018101974.tif 000008
【図６】
2018101974.tif 000009